(57)【要約】【課題】  粘着テープ端部の粘着面に貼着される紙片が収容されているカセットの入れ替えをワンタッチで迅速に実行可能な粘着テープカッターを提供すること。【解決手段】  粘着テープ体７がセットされる支持リング６を回転可能に保持している保持部２と、粘着テープ９を切り離す刃体４を有している粘着テープカッターにおいて、背面側の支持リング６と正面側の刃体４との間の刃体４後脇にカセット収容部１３を凹設して、このカセット収容部１３外側の左右外面部１ａに被係止部１４を設け、カセット収容部１３に挿脱可能で、粘着テープ９の粘着面１１に貼着可能な紙片３３が開口部２０に臨み出た状態に収められるカセット１５は、カセット収容部１３に挿入された状態で、被係止部１４に係止可能な係止部１７と、係止部１７を被係止部１４との係止状態から解除動作可能な操作片部１８を設けてある。【選択図】  図２
0003108644.tif 000002
【実用新案登録請求の範囲】
【請求項１】
ロール状の粘着テープ体がセットされる支持リングを回転可能に保持している保持部と、前記粘着テープ体から引き出される粘着テープを切り離す刃体を有している粘着テープカッターにおいて、
前記背面側の支持リングと正面側の刃体との間の刃体後脇にカセット収容部を凹設して、このカセット収容部外側の左右の外面部に被係止部を設け、
前記カセット収容部に挿脱可能な有底状のカセットは、粘着テープが貼着されることで開口部から取り出し可能な紙片を積層状に保持可能で、且つ、カセット収容部に挿入された状態で、前記被係止部に外側から係止可能な係止部と、当該係止部を被係止部との係止状態から解除動作可能な操作片部を設けてあることを特徴とする粘着テープカッター。
【請求項２】
係止部が、カセットにおける左右の側面部から水平状に延びて上下方向に弾性揺動可能な可動部先端に垂下状に延設され、
操作片部が、前記可動部先端に起立状に延設されていることを特徴とする請求項１記載の粘着テープカッター。
【請求項３】
カセットが、底蓋部を着脱可能に設け、この底蓋部を外すことで底部を開口可能に形成してあることを特徴とする請求項１または２記載の粘着テープカッター。
【請求項４】
カセット収容部における粘着テープ体から引き出される粘着テープが粘着する背面側の口縁部分高さと、刃体における同粘着テープの切断端部が止着する鋸歯状刃部高さと、カセットの開口部高さを、この開口部よりも鋸歯状刃部および口縁部分が高い上下関係にし、かかる上下関係が、口縁部分から鋸歯状刃部までの直線長さと、口縁部分から開口部における正面側縁までの直線長さとがほぼ同等になるように形成してあることを特徴とする請求項１〜３のいずれか１項記載の粘着テープカッター。
【考案の詳細な説明】
【技術分野】
【０００１】
本考案はロール状に巻かれた粘着テープ体から所望長さの粘着テープを引き出して切り取るのに用いられる粘着テープカッターに関し、さらに詳しくは、切り離す粘着テープの端部における粘着力が同端部の粘着面部分に貼着される紙片によって失われて非粘着部分が形成されるように切断可能な粘着テープカッターに関する。
【背景技術】
【０００２】
特許文献1には、長尺の接着テープを積層巻回した接着テープ体を回動自在に装着し、接着テープ体から引出した接着テープを切断するカッター部を備えた切断機において、カッター部の接近部にテープ巾に等しいか若しくは少し幅広い紙片を積層状態に積み重ね且つ常に最上部の紙片が接着テープの下面の接着面に接触する位置に浮き上がるように配備せしめたことを特徴とする接着テープ切断器が記載されている。
そして、紙片を収納したケースはカートリッジ式に構成し、紙片を収納したカートリッジケースを販売するように設計してもよいことが記載されている。
一方、紙片が空になったカートリッジケースを、紙片を満杯にしたカートリッジケースと入れ替えるための工夫については、何等提案されていない。すなわち、カートリッジケースを取り出すことについて仕組みや構造上の配慮がされていない。
それにより、入れ替え作業が面倒であるし、スムーズに行なえないという不都合を抱えているものである。
【特許文献１】特開平３−８３７６３
【考案の開示】
【考案が解決しようとする課題】
【０００３】
解決しようとする課題は、第１には、粘着テープ端部の粘着面に貼着される紙片が収容されているカセットの入れ替えをワンタッチで迅速に実行可能な粘着テープカッターを、第２には、さらに、構造的にシンプルで安価に製作可能な粘着テープカッターを、第３には、さらに、カセットに紙片を容易に装填可能である粘着テープカッターを、第４には、さらに、粘着テープの切断端縁と紙片の端縁が一致した切断端部に整え可能である粘着テープカッターを提供することにある。
【課題を解決するための手段】
【０００４】
本考案は前記した課題を達成するため、以下の構成にしたことを特徴とする。
１．ロール状の粘着テープ体がセットされる支持リングを回転可能に保持している保持部と、前記粘着テープ体から引き出される粘着テープを切り離す刃体を有している粘着テープカッターにおいて、前記背面側の支持リングと正面側の刃体との間の刃体後脇にカセット収容部を凹設して、このカセット収容部外側の左右の外面部に被係止部を設け、前記カセット収容部に挿脱可能な有底状のカセットは、粘着テープが貼着されることで開口部から取り出し可能な紙片を積層状に保持可能で、且つ、カセット収容部に挿入された状態で、前記被係止部に外側から係止可能な係止部と、当該係止部を被係止部との係止状態から解除動作可能な操作片部を設けてあることを特徴とする。
２．前記した請求項１において、係止部が、カセットにおける左右の側面部から水平状に延びて上下方向に弾性揺動可能な可動部先端に垂下状に延設され、操作片部が、前記可動部先端に起立状に延設されていることを特徴とする。
３．前記した請求項１または２において、カセットが、底蓋部を着脱可能に設け、この底蓋部を外すことで底部を開口可能に形成してあることを特徴とする。
４．前記した請求項１〜３のいずれか１項において、カセット収容部における粘着テープ体から引き出される粘着テープが粘着する背面側の口縁部分高さと、刃体における同粘着テープの切断端部が止着する鋸歯状刃部高さと、カセットの開口部高さを、この開口部よりも鋸歯状刃部および口縁部分が高い上下関係にし、かかる上下関係が、口縁部分から鋸歯状刃部までの直線長さと、口縁部分から開口部における正面側縁までの直線長さとがほぼ同等になるように形成してあることを特徴とする。
【０００５】
本考案における係止部および操作片部は、前記した請求項２の構成であってもよいが、これに限定されない。例えば、側面部上縁から下方へ延びる係止部と、この係止部先端から外側上向き延びる操作片部とし、カセットがカセット収容部に挿入された状態で、被係止部に係止部が係止する一方で、操作片部を内側に押すことで係止部が被係止部から外れ動き得るように形成していてもよい。また、側面部に別体の係止部を軸支して垂設し、この係止部がバネ力を受けて被係止部に係止する一方で、係止部から上方に延びる操作片部を前記バネ力に抗して押すことにより被係止部から係止部を外し得るように形成していてもよい。
被係止部に対する係止部の係止状態は、部材の弾性変形あるいはバネ力による弾性的な係止関係が好ましい。
操作片部による係止部の解除動作とは、操作片部を内側に押すことで係止部が被係止部との係止状態から外れ動くことを指す。可動部の弾性揺動とは、固定状の基部側を支点にして可動部先端側が部材自体の弾性変形により上下方向に弾性的に揺動し、操作片部による係止部の解除動作をもたらす動きを指す。
カセットは、底部が着脱可能な別体の底蓋部で形成してもよいし、底部を一体に成型してあるものであってもよい。
カセットにおけるストッパーによる紙片の仮止めとは、開口部から紙片が抜け出ないように押える一方で、紙片が粘着テープの粘着面に貼着されて開口部から強制的に抜き出されることを妨げない状態を指している。
【考案の効果】
【０００６】
Ａ．請求項１により、紙片が収められるカセットは、カセット収容部に挿入された状態で、係止部が被係止部に係止するため、挿入するだけの作業で挿入状態にセットすることができる。そして、かかる係止部と被係止部との係止状態を操作片部で簡単に解除することができる。
したがって、カセットの入れ替えを、例えば利き手の親指と人差し指で左右の操作片部を挟み込むように持ってカセット収容部に挿入する作業と、左右の操作片部を親指と人差し指で内側に押して係止部を被係止部から外してそのままカセット収容部より引き出す作業によって、ワンタッチで迅速に実行することができる。
Ｂ．請求項２により、さらに、カセットに可動部そして係止部および操作片部が延設されて一体成型できるため、構造的にシンプルで安価に製作できる。
Ｃ．請求項３により、さらに、底蓋部を外して底部を開口することで、この底部からカセット内に紙片を容易に装填することができる。
Ｄ．請求項４により、さらに、粘着テープ体から粘着テープを引き出して切り離す際に、刃体に付着している粘着テープの切断端部を押し下げて開口部に臨み出ている紙片に貼着させることで、この切断端部の切断端縁が紙片の端縁と一致した貼着状態になるため、切り離される粘着テープにおける切断端縁には粘着面が紙片で覆われて露出せず、非粘着部分を形成できる。
それにより、商品等の被貼着物に貼り付けた時に、粘着テープの端部は被貼着物から離れて浮いた状態を呈することになるので、かかる粘着テープを簡単に引き剥がすことができるようになる。
【考案を実施するための最良の形態】
【０００７】
図１〜図５には本考案の粘着テープカッターにおける実施の１形態を例示しており、カッター１は、背面側に保持部２を、正面側に刃体４を、それぞれ有している。保持部２は、軸受部３に支持リング６を装脱且つ回転可能に備えており、支持リング６にはリング状の紙芯８に粘着テープ９を巻き付けたロール状の粘着テープ体７がセットされている。この粘着テープ９は正面側の刃体４方向（前方）に引き出し可能にしてある。そのため、カッター１は、粘着テープ９の引き出し時にデスク等の置き場を滑り動くことがないように適宜形成してある。
【０００８】
刃体４は、溝部１２に着脱・交換可能に備えられており、上向きの鋸歯状刃部５で粘着テープ９を切り離し可能にしてあると共に、鋸歯状刃部５に粘着テープ９における切断端部１０が裏面側の粘着面１１の粘着力で付着して同位置に止まるようにしてある。
また、鋸歯状刃部５は、後で説明する後側のカセット収容部１３口縁における前縁側の直上に位置するように配設してあり、この鋸歯状刃部５によって切り離されて刃部位置に止まる粘着テープ９の切断端部１０がカセット１５の開口部２０上に対向して位置し、この切断端部１０を押し下げることによって、同端部の粘着面１１が開口部２０に臨み出ている紙片３３に貼着し得るように形成してある。
【０００９】
背面側の支持リング６と正面側の刃体４との間の刃体４後脇すなわち溝部１２後脇には、カセット収容部１３を凹設してあり、このカセット収容部１３外側の左右の外面部１ａには被係止部１４を左右対称状に設けてある。
かかるカセット収容部１３に挿脱可能なカセット１５は、左右の側面部１５ａ上縁近くから外方に水平状に延びる可動部１６を一体に突設し、この上下方向に弾性揺動可能な可動部１６先端には係止部１７を一体に垂設し、カセット１５がカセット収容部１３に挿入された状態で当該係止部１７が突部１４ａを乗り越えて被係止部１４に弾性的に係止するように形成してある。また、可動部１６先端には操作片部１８を一体に立設してあり、この左右の操作片部１８を内側に押すことで係止部１７が外側に動いて被係止部１４との係止状態から解除動作し得るように形成してある。
【００１０】
また、カセット１５は、有底状の収容部１９内に紙片３３を上下重合状に収めている。この紙片３３は、粘着テープ９の切断端部１０における粘着面１１部分に貼着されて同部分から粘着力を失わしめる大きさの小片状もので、収容部１９内におけるスプリング２２上端の受け部２３上に載乗し、スプリング２２のバネ力で収容部１９上端の開口部２０に向けて押し上げられている。開口部２０の左右口縁部分にはストッパー２１を対向状に突設してあり、この左右のストッパー２１は、紙片３３の左右端部をスプリング２２のバネ力に抗して押えることで紙片３３が開口部２０から飛び出さないようにしてある一方で、開口部２０に臨み出ている最上位の紙片３３に粘着テープ９の粘着面１１が貼着された際に、紙片３３がストッパー２１から滑り外れて開口部２０より抜け出るのを妨げないように形成してある。
さらに、カセット１５は、収容部１９の底部を底蓋部２９で形成してある。この底蓋部２９は、正面側と背面側に係止孔部３０をカセット１５の係止鍔部３１とそれぞれ係脱可能に設けてあり、かかる底蓋部２９を外すことで紙片３３を収容部１９に底部から装填し得るように形成してある。
【００１１】
そして、カセット収容部１３における粘着テープ体７から引き出される粘着テープ９が粘着する背面側の口縁部分１３ａ高さと、刃体４における同粘着テープ７の切断端部１０が止着する鋸歯状刃部５高さと、カセット１５の開口部２０高さを、この開口部２０よりも鋸歯状刃部５および口縁部分１３ａが高い上下関係にしてある。鋸歯状刃部５と口縁部分１３ａはほぼ同じ高さにしてある。
かかる上下関係は、口縁部分１３ａから鋸歯状刃部５までの直線長さＬと、口縁部分１３ａから開口部２０における正面側縁２０ａまでの直線長さＬ１すなわちストッパー２１で仮止めされた上位の紙片３３の正面側前縁までの直線長さとがほぼ同等になるように形成してあり、鋸歯状刃部５位置に粘着力で止まっている粘着テープ９の切断端部１０が押し下げられた際に、切断端部１０の切断端縁１０ａが紙片３３の前縁と一致した貼着状態になるようにしてある。
【００１２】
図６の（ａ）、（ｂ）には本考案の粘着テープカッターにおける係止部および操作片部の他の形態を例示しており、図６の（ａ）では、カセット１５の側面部１５ａ上縁から可動部１６を経て下方へ延びる係止部２４と、この係止部２４先端から外側上向きに延びる操作片部２５を一体に形成し、カセット１５がカセット収容部１３に挿入された状態で、被係止部１４に係止部２４が弾性的に係止する一方で、操作片部２５を内側に押すことで係止部２４が外側に動いて被係止部１４から外れ動き得るように形成してある。かかる被係止部１４と係止部２４との係脱は主に可動部１６の弾性変形により行なわれる。
図６の（ｂ）には、カセット１５の側面部１５ａに別体の係止部２６を軸支して延設し、この係止部２６がバネ（図示せず）のバネ力を受けて被係止部１４に弾性的に係止する一方で、係止部２６から延びる操作片部２８を前記バネ力に抗して内側に押すことにより被係止部１４から係止部２６を外し得るように形成してある。
【００１３】
次に、使用状態について説明する。
カセット収容部１３には、紙片３３が収められているカセット１５を、係止部２４が突部１４ａを乗り越えて被係止部１４に係止するまで挿入することにより、同挿入状態にセットする。
粘着テープ９を引出すに際し、始めに、鋸歯状刃部５に付着している粘着テープ９の切断端部１０を押し下げて開口部２０内の紙片３３に押し付ける。こうすることで、切断端部１０裏面の粘着面１１に紙片３３が貼着し、切断端縁１０ａと紙片３３前縁が一致した貼着状態になる。
然る後に、かかる紙片３３付きの切断端部１０を有する粘着テープ９を所望の長さに引き出して刃体４で切り離す。
切り離されて残る粘着テープ９の切断端部１０は鋸歯状刃部５に付着して、次の引き出し・切り離しに備えることになる。
これにより、紙片３３が貼着されて粘着力が失われた非粘着部分３２を有する切断端部１０からなる所望の長さの粘着テープ９を随時得られることになる。
そして、カセット１５内の紙片３３が消費された時点で、紙片３３が収められているカセット１５と入れ替えすることによって、継続して使用し得ることになる。
【図面の簡単な説明】
【００１４】
【図１】本考案の粘着テープカッターにおける実施の１形態を例示している斜視図。
【図２】拡大縦断正面図。
【図３】部分拡大縦断側面図。
【図４】分解斜視図。
【図５】カセットの分解斜視図。
【図６】（ａ）、（ｂ）は本考案の粘着テープカッターにおける係止部および操作片部の他の形態をそれぞれ例示している縦断正面図。
【符号の説明】
【００１５】
１  カッター
１ａ  外面部
２  保持部
３  軸受部
４  刃体
５  鋸歯状刃部
６  支持リング
７  粘着テープ体
８  紙芯
９  粘着テープ
１０  切断端部
１０ａ  切断端縁
１１  粘着面
１２  溝部
１３  カセット収容部
１３ａ  口縁部分
１４  被係止部
１４ａ  突部
１５  カセット
１５ａ  側面部
１６  可動部
１７  係止部
１８  操作片部
１９  収容部
２０  開口部
２０ａ  正面側縁
２１  ストッパー
２２  スプリング
２３  受け部
２４  係止部
２５  操作片部
２６  係止部
２７  バネ
２８  操作片部
２９  底蓋部
３０  係止孔部
３１  係止鍔部
３２  非粘着部分
３３  紙片
Ｌ，Ｌ１  直線長さ
【図１】
0003108644.tif 000003
【図２】
0003108644.tif 000004
【図３】
0003108644.tif 000005
【図４】
0003108644.tif 000006
【図５】
0003108644.tif 000007
【図６】
0003108644.tif 000008